(57)【要約】【課題】              使用上の取り扱い等の利便性を向上させることができる携帯通信端末を提供すること。【解決手段】          携帯通信端末１において、下部筐体３に対して入出自在な構造を有するとともに、外部機器に挿入可能な接続端子２０と、接続端子２０に一体的に取り付けられるとともに、下部筐体３の外部からの操作が可能となるように下部筐体３に取り付けられた操作子２４と、を備えることを特徴とする。【選択図】            図２
2006166085.tif 000002
【特許請求の範囲】
【請求項１】
筐体に対して入出自在な構造を有するとともに、外部機器に挿入可能な接続端子と、
前記接続端子に一体的に取り付けられるとともに、前記筐体の外部からの操作が可能となるように前記筐体に取り付けられた操作子と、
を備えることを特徴とする携帯通信端末。
【請求項２】
前記接続端子は、前記筐体に対して摺動又は回動することにより入出自在な構造を有することを特徴とする請求項１記載の携帯通信端末。
【請求項３】
前記筐体は、上側筐体と下側筐体とが連結部により開閉自在に連結された構成をし、
前記操作子は、前記連結部の近傍に配されるとともに、前記筐体が閉状態又は開状態にあるときに入出操作が禁止されるように構成されたことを特徴とする請求項１又は２記載の携帯通信端末。
【請求項４】
筐体に対して入出自在な構造を有するとともに、外部機器に挿入可能な接続端子を備え、
前記筐体は、上側筐体と下側筐体とが連結部により開閉自在に連結された構成をしており、
前記接続端子は、前記連結部の近傍に配されるとともに、前記筐体が閉状態又は開状態にあるときに入出が禁止されるように構成されたことを特徴とする携帯通信端末。
【請求項５】
筐体に対して入出自在な構造を有するとともに、外部機器に挿入可能な接続端子と、
前記接続端子の入出状態を検出する入出検出部と、
前記入出検出部の検出結果に応じて所定の制御を行う制御部と、
を備えたことを特徴とする携帯通信端末。
【請求項６】
着信を検出する着信検出部と、
前記接続端子が入状態ないし出状態のときの着信設定情報を格納する記憶部と、
を備え、
前記制御部は、前記着信検出部が着信を検出し、かつ、前記入出検出部が入状態ないし出状態を検出したときに、前記着信設定情報に基づいて所定の制御を行うことを特徴とする請求項５記載の携帯通信端末。
【請求項７】
前記制御部は、前記着信検出部が着信を検出し、かつ、前記入出検出部が出状態を検出したときに、所定メッセージの送出、又は着信拒否を行うよう制御することを特徴とする請求項６に記載の携帯通信端末。
【請求項８】
前記制御部は、前記着信検出部が着信を検出している状態で、前記入出検出部が前記接続端子の出状態から入状態への変移を検出したときに、オフフック状態又は応答保留状態とするよう制御することを特徴とする請求項６に記載の携帯通信端末。
【請求項９】
前記携帯通信端末を振動させる振動部を備え、
前記制御部は、前記振動部による振動を許可する設定のときに、前記入出検出部が前記接続端子の出状態を検出した場合には、前記振動部の振動を禁止するよう制御することを特徴とする請求項５に記載の携帯通信端末。
【請求項１０】
外部機器に挿入可能な接続端子と、
前記接続端子と前記外部機器との接続状態を検出する接続検出部と、
前記接続検出部の検出結果に応じて所定の制御を行う制御部と、
を備えたことを特徴とする携帯通信端末。
【請求項１１】
着信を検出する着信検出部と、
前記接続端子が接続状態ないし非接続状態のときの着信設定情報を格納する記憶部と、
を備え、
前記制御部は、前記着信検出部が着信を検出し、かつ、前記接続検出部が接続状態ないし非接続状態を検出したときに、前記着信設定情報に基づいて所定の制御を行うことを特徴とする請求項１０に記載の携帯通信端末。
【請求項１２】
前記制御部は、前記着信検出部が着信を検出し、かつ、前記接続検出部が接続状態を検出したときに、所定メッセージの送出、又は着信拒否を行うよう制御することを特徴とする請求項１１に記載の携帯通信端末。
【請求項１３】
前記制御部は、前記着信検出部が着信を検出している状態で、前記接続検出部が前記接続端子の接続状態から非接続状態への変移を検出したときに、オフフック状態又は応答保留状態とするよう制御することを特徴とする請求項１１に記載の携帯通信端末。
【請求項１４】
前記携帯通信端末を振動させる振動部を備え、
前記制御部は、前記振動部による振動を許可する設定のときに、前記接続検出部が前記接続端子の接続状態を検出した場合には、前記振動部の振動を禁止するよう制御することを特徴とする請求項１０に記載の携帯通信端末。
【発明の詳細な説明】
【技術分野】
【０００１】
本発明は、携帯通信端末に関し、特に、接続端子を備える携帯通信端末に関する。
【背景技術】
【０００２】
従来の一般的な携帯通信端末は、コンピュータと電気的に接続する場合、携帯通信端末とコンピュータの間を媒介するケーブルなどの手段を用いる。また、特許文献１では、携帯電話機の緊急避難的充電を便利よく且つ速やかに行うために、携帯電話機本体の一部に、バッテリーを充電するための電力導入用接続端子として、コンピュータのＵＳＢ出力端子に接続させることができるＵＳＢ接続端子を備えてなる携帯電話機が提案されている。
【０００３】
【特許文献１】実用新案登録第３０９８６２２号公報
【特許文献２】特開２００３−２８２２０６号公報
【特許文献３】特開２００４−１４７２７２号公報
【特許文献４】特開２００４−２０６６６０号公報
【特許文献５】特開２００４−２１３１６２号公報
【発明の開示】
【発明が解決しようとする課題】
【０００４】
しかしながら、従来の一般的な携帯通信端末では、使用上の取り扱いや、コンピュータとのデータのやり取りが煩雑であり、ケーブルがない場合には、使用上の取り扱いや、コンピュータとのデータのやりとりができなかった。また、特許文献１に記載の携帯電話機では、コンピュータとの接続中又は接続作業中に着信したときの対策が講じられていなかった。
【０００５】
本発明の課題は、使用上の取り扱い等の利便性を向上させることができる携帯通信端末を提供することである。
【課題を解決するための手段】
【０００６】
本発明の第１の視点においては、携帯通信端末において、筐体に対して入出自在な構造を有するとともに、外部機器に挿入可能な接続端子と、前記接続端子に一体的に取り付けられるとともに、前記筐体の外部からの操作が可能となるように前記筐体に取り付けられた操作子と、を備えることを特徴とする。
【０００７】
本発明の前記携帯通信端末において、前記接続端子は、前記筐体に対して摺動又は回動することにより入出自在な構造を有することが好ましい。
【０００８】
本発明の前記携帯通信端末において、前記筐体は、上側筐体と下側筐体とが機構部により開閉自在に連結された構成をし、前記操作子は、前記機構部の近傍に配されるとともに、前記筐体が閉状態又は開状態にあるときに入出操作が禁止されるように構成されることが好ましい。
【０００９】
本発明の第２の視点においては、携帯通信端末において、筐体に対して入出自在な構造を有するとともに、外部機器に挿入可能な接続端子を備え、前記筐体は、上側筐体と下側筐体とが機構部により開閉自在に連結された構成をしており、前記接続端子は、前記機構部の近傍に配されるとともに、前記筐体が閉状態又は開状態にあるときのみ入出可能であることを特徴とする。
【００１０】
本発明の第３の視点において、携帯通信端末において、外部機器に挿入可能な接続端子と、前記接続端子の入出状態を検出する入出検出部と、前記入出検出部の検出結果に応じて所定の制御を行う制御部と、を備えることを特徴とする。
【００１１】
本発明の前記携帯通信端末において、着信を検出する着信検出部と、前記接続端子が入状態ないし出状態のときの着信設定情報を格納するメモリと、を備え、前記制御部は、前記着信検出部が着信を検出し、かつ、前記入出検出部が入状態ないし出状態を検出したときに、前記着信設定情報に基づいて所定の制御を行うことが好ましい。
【００１２】
本発明の前記携帯通信端末において、前記制御部は、前記着信検出部が着信を検出し、かつ、前記入出検出部が出状態を検出したときに、所定メッセージの送出、又は着信拒否を行うよう制御することが好ましい。
【００１３】
本発明の前記携帯通信端末において、前記制御部は、前記着信検出部が着信を検出している状態で、前記入出検出部が前記接続端子の出状態から入状態への変移を検出したときに、オフフック状態、或いは応答保留状態とするよう制御することが好ましい。
【００１４】
本発明の前記携帯通信端末において、前記携帯通信端末を振動させる振動部を備え、前記制御部は、前記振動部による振動を許可する設定のときに、前記入出検出部が前記接続端子の出状態を検出した場合には、前記振動部の振動を禁止するよう制御することが好ましい。
【００１５】
本発明の第４の視点において、携帯通信端末において、外部機器に挿入可能な接続端子と、前記接続端子と前記外部機器との接続状態を検出する接続検出部と、前記接続検出部の検出結果に応じて所定の制御を行う制御部と、を備えたことを特徴とする。
【００１６】
本発明の前記携帯通信端末において、着信を検出する着信検出部と、前記接続端子が接続状態ないし非接続状態のときの着信設定情報を格納するメモリと、を備え、前記制御部は、前記着信検出部が着信を検出し、かつ、前記接続検出部が接続状態ないし非接続状態を検出したときに、前記着信設定情報に基づいて所定の制御を行うことが好ましい。
【００１７】
本発明の前記携帯通信端末において、前記制御部は、前記着信検出部が着信を検出し、かつ、前記接続検出部が接続状態を検出したときに、所定メッセージの送出、又は着信拒否を行うよう制御することが好ましい。
【００１８】
本発明の前記携帯通信端末において、前記制御部は、前記着信検出部が着信を検出している状態で、前記接続検出部が前記接続端子の接続状態から非接続状態への変移を検出したときに、オフフック状態又は応答保留状態とするよう制御することが好ましい。
【００１９】
本発明の前記携帯通信端末において、前記携帯通信端末を振動させる振動部を備え、前記制御部は、前記振動部による振動を許可する設定のときに、前記接続検出部が前記接続端子の接続状態を検出した場合には、前記振動部の振動を禁止するよう制御することが好ましい。
【発明の効果】
【００２０】
本発明（請求項１−９）によれば、ピクチャ、着メロ、ＭＰ３などのデータをやり取りする時、接続端子を筐体に対して出状態にし、コンピュータの接続端子に挿せば済む。また、携帯通信端末の接続端子の存在は、携帯通信端末のＦｌａｓｈ  Ｄｉｓｋ  機能を実現できる。また、普通データをやり取りする際に絶対ケーブルが要る状況に代えて、ケーブルがなくても携帯通信端末で自由にデータのやり取りができる。また、操作子を有すれば簡単に操作できるので、ユーザの使い易さ及び利便性を向上させることができる。さらに、接続端子をＵＳＢ接続端子とすれば、Ｂｌｕｅｔｏｏｔｈ、ＩｒＤＡなど無線通信方式などと比べ、より広く、より一般的にデータ伝送を行うことができるので利用者の利便性が広がる。
【００２１】
本発明（請求項３、４）によれば、上部筐体と下部筐体が閉じた状態（上部筐体と下部筐体とが重なりあった状態）でのみ、接続端子の入出、或いは操作子の操作を可能とすることで、通話形態（上部筐体と下部筐体が開いた状態）時に端子を誤って突出させることがなく、端子や利用者を保護することができる。
【００２２】
本発明（請求項５−８、１０−１３）によれば、着信時に、接続端子の状態に応じて予め設定された処理（着信拒否、伝言メモ、着信応答等）がなされ、また、着信に応答する場合は、接続端子の状態の変移により、オフフック又は応答保留となるので、利用者の操作性を著しく向上させることができる。
【００２３】
本発明（請求項９、１４）によれば、接続端子が出状態にある場合は、振動部を非動作とするので、接続端子を介して外部機器との間でデータ伝送を行っている最中、或いは外部機器に接続端子を挿入しようとしている状態などでの振動を防止することができ、誤って外部機器との接続が外れる事態や、接続操作中に誤って端末を落とす事態等を未然に防止することができる。
【発明を実施するための最良の形態】
【００２４】
本発明の実施形態１の携帯通信端末について、図面を参照して詳細に説明する。図１は、本発明の実施形態１の携帯通信端末の外観を模式的に示した（Ａ）正面図、及び（Ｂ）背面図である。図２は、本発明の実施形態１の携帯通信端末の外観を模式的に示した部分拡大正面図である。図３は、本発明の実施形態１の携帯通信端末において用いられる接続端子の構成を模式的に示した平面図である。図４は、本発明の実施形態１の携帯通信端末の構成を模式的に示したブロック図である。
【００２５】
携帯通信端末１は、上部筐体２と下部筐体３が連結部４を介して開閉可能に連結された折畳型携帯通信端末である。ここでの携帯通信端末１は、上部筐体２と下部筐体３とヒンジにより折り畳み可能な折畳型の携帯電話機であるが、上部筐体２がヒンジの周りに回転する回転型、上部筐体２又は下部筐体３がスライドするスライド型、折畳、回転、スライド等の機構部のない一体型のもの等を用いてもよい。また、携帯通信端末１として、携帯電話機以外にも、ＰＨＳ、通信機能を有するＰＤＡ、通信機能を有するコンピュータ等にも適用することができる。携帯通信端末１は、無線部１１と、撮像部１２と、表示部１３と、操作部１４と、スピーカ１５と、音声処理部１６と、マイク１７と、スピーカ１８と、振動部１９と、接続端子２０と、接続端子検出部２１と、記憶部２２と、制御部２３と、操作子２４と、を備える。
【００２６】
無線部１１と、撮像部１２と、表示部１３と、操作部１４と、スピーカ１５と、音声処理部１６と、振動部１９と、接続端子２０と、接続端子検出部２１と、記憶部２２と、制御部２３とはバスによって電気的に接続されている。マイク１７及びスピーカ１８は、音声処理部１６と電気的に接続されている。
【００２７】
無線部１１は、アンテナ（図示せず）を介して無線基地局との間で無線信号の送受を行う。撮像部１２（１２ａ、１２ｂ）は、上部筐体２の正面側及び背面側に配設され、イメージ情報の取得（撮影）を行う。表示部１３（１３ａ、１３ｂ）は、上部筐体２の正面側及び背面側に配設され、文字、画像などの各種情報を表示し、例えば、ＬＣＤ、有機ＥＬなどの表示装置で構成される。操作部１４は、下部筐体３の正面側に配設された各種情報を操作入力する部分であり、決定ボタン部１４ａ、テンキーボタン部１４ｂ、及びサイドボタン１４ｃを有する。スピーカ１５は、上部筐体２の背面側に配設された報知用のスピーカであり、楽音、報知音などを出力する。音声処理部１６は、音声信号処理を行う。マイク１７は、下部筐体３の正面側に配され、音声を音声信号に変換し、音声処理部１６に音声信号を入力する。スピーカ１８は、上部筐体２の正面側に配された受話用のスピーカであり、音声処理部１６からの音声信号を音声に変換し、当該音声を出力する。振動部１９は、振動を与えることで利用者に対する報知を行う。
【００２８】
接続端子２０は、下部筐体３に対して摺動により入出自在な構造を有するとともに、外部機器（例えば、コンピュータ、クレイドル装置等；図示せず）の接続端子に挿着可能であり、当該外部機器との間でデータ伝送を行うための（ＦｌａｓｈＤｉｓｋ機能に必要な）端子であり、例えば、ＵＳＢ端子を用いることができる。なお、接続端子２０は、オス型でもよく、メス型でもよい。また、接続端子２０は、上部筐体２側に設けてもよい。接続端子２０の一例として、図３のように、プリント基板２０ｂ及びフレキシブル配線板２０ｃを介してＵＳＢ端子２０ａとコネクタ２０ｄが電気的に接続されたものを用いることができる。接続端子２０は、フレキシブル配線板２０ｃのような柔軟性のある配線部材によって、下部筐体３に実装された基板（図示せず）と電気的に接続しつつ、摺動可能である。ＵＳＢ端子２０ａ又はプリント基板２０ｂは、下部筐体３又は実装基板（図示せず）に設けられた直線ガイド（図示せず）により摺動がガイドされる。なお、接続端子２０の変形例については、後述する。
【００２９】
接続端子検出部２１は、接続端子２０の所定の状態を検出する。ここでの接続端子検出部２１は、接続端子２０の入状態（接続端子２０が下部筐体３内に収納された状態、又は下部筐体３の側端面から突出していない状態）、及び出状態（接続端子２０が下部筐体３外から突出した状態、又は下部筐体３の側端面からの突出している状態）の検出を行う。このような接続端子検出部２１として、例えば、（１）下部筐体３（下部筐体３の内部に実装された基板を含む）、或いは接続端子２０（又は操作子２４）の一方に凸部を設け、他方に当該凸部に押下されるスイッチを設けたもの、（２）筐体、或いは接続端子２０の一方に磁石、他方に磁気検出素子（ホール素子）を設けたもの等の手段が挙げられる。なお、接続端子検出部２１は、接続端子２０の入状態及び出状態を検出するもの以外にも、接続端子２０と外部機器（図示せず）の接続状態及び非接続状態を検出するものであってもよい。
【００３０】
記憶部２２は、電話帳情報、送受信メール情報、発着呼情報、携帯通信端末の各種設定、コンテンツ情報（動画、静止画、楽音など）、アプリケーション（プログラム）情報、スケジュール情報などを格納する。また、記憶部２２には、スケジュール情報として、日時、用件（スケジュール内容、アイコン）、アラーム通知要否／時期、アラーム方法（スピーカ１５からの楽音の出力、表示部１３（１３ａ、１３ｂ）からの情報、発光の出力、振動部１９による振動、の任意選択／組合せ）が格納されている。
【００３１】
制御部２３は、電話機能（着信検出などを含む）、メール機能、ｗｅｂ接続（インターネット接続）機能、カメラ機能、接続端子の検出制御機能等の機能に対応する各機能部１１〜２２の動作を制御する。制御部２３は、例えば、記憶部２２に格納されているスケジュール情報等の予め設定した条件と一致したときや、他の携帯通信端末（図示せず）から無線通信システム（無線基地局等；図示せず）を介して送信されてきた着信信号を検出したとき等に、振動部１９を動作させたりする等の制御を行う。なお、制御部２３の詳しい制御内容については、後述する。
【００３２】
操作子２４は、下部筐体３（の側端面）の外部から人の指等で操作することにより下部筐体３に対して接続端子２０（の端子部分）を入出するための部材であり、接続端子２０に一体的に取り付けられており、下部筐体３の外部からの操作により下部筐体３に摺動可能に取り付けられている。なお、操作子２４の変形例については、後述する。
【００３３】
（第１の動作）
次に、本発明の実施形態１に係る携帯通信端末１の第１の動作（接続端子２０に関する入出動作）について説明する。操作子２４の摺動操作によって、下部筐体３に対して接続端子２０を出状態にする。下部筐体３の外部に出てきた接続端子２０を外部機器（コンピュータ等；図示せず）の接続端子に挿すことによって、外部機器により携帯通信端末１（の記憶部２２）が認識されるこれによって、例えば、外部機器の画面には「Ｆｌａｓｈ  Ｄｉｓｋ  が見つかりました」との標識が出てくる。その後、携帯通信端末１は、外部機器との間でデータ伝送（データの読み取り、データの書き込み）が行われる。データ伝送の終了後に接続端子２０を下部筐体３に収納するときは、情報処理端末の接続端子から携帯通信端末１の接続端子２０を抜き出して、操作子２４の摺動操作によって、下部筐体３に対して接続端子２０を入状態にする。
【００３４】
（第２の動作）
次に、本発明の実施形態１に係る携帯通信端末１の第２の動作（アラームに関する動作）について図面を用いて説明する。図５は、本発明の実施形態１に係る携帯通信端末１の第２の動作を模式的に示したフローチャートである。
【００３５】
まず、携帯通信端末１の制御部２３は、時計機能が所定の日時になると、予め設定したスケジュール情報に係る日時との一致を検出する（ステップＡ１）。
【００３６】
次に、制御部２３は、スケジュール情報に係るアラーム（報知）設定が、振動部１９による振動を許可する設定があるか否かを確認する（ステップＡ２）。すなわち、アラーム方法を参照して振動部１９によるアラーム報知設定がなされているか否かを確認する。
【００３７】
振動部１９による振動報知が“可”（許可設定）の場合（ステップＡ２のＹＥＳ）、制御部２３は、接続端子検出部２１の検出信号に基づいて、接続端子２０が出状態にあるか否かを確認する（ステップＡ３）。なお、接続端子検出部２１が接続状態及び非接続状態を検出するタイプであれば、接続端子２０が接続状態にあるか否かを確認することになる。
【００３８】
接続端子２０が出状態（又は接続状態）にある場合（ステップＡ３のＹＥＳ）、制御部２３は、振動部１９による振動報知を禁止する（ステップＡ４）。
【００３９】
振動部１９による振動報知が“否”（非設定）の場合（ステップＡ２のＮＯ）、又は、ステップＡ４が行われた後、制御部２３は、スピーカ１５からの楽音の出力、表示部１３（１３ａ、１３ｂ）からの情報、発光の出力などにより報知を行う（ステップＡ５）。
【００４０】
接続端子２０が入（収納）状態（又は非接続状態）にある場合（ステップＡ３のＮＯ）、制御部２３は、振動部１９による振動と、スピーカ１５からの楽音の出力、表示部１３（１３ａ、１３ｂ）からの情報、発光の出力などにより報知を行う（ステップＡ６）。
【００４１】
なお、携帯通信端末１は、上述のスケジュール報知に係る（アラーム）時に限定されるものではなく、振動部１９による振動出力（アラーム）が伴う機能／設定であればよい。
【００４２】
第２の動作によれば、携帯通信端末１の接続端子２０が出状態（又は接続状態）にある場合、振動部１９を非動作とするので、接続端子２０を介して外部機器との間でデータ伝送を行っている最中、或いは外部機器に接続端子２０を挿入しようとしている状態などでの振動を防止することができる。これにより、誤って外部機器と接続端子２０との接続が外れる、接続操作中に誤って携帯通信端末１を落とすなどの事態を未然に防止することができる。
【００４３】
（第３の動作）
次に、本発明の実施形態１に係る携帯通信端末１の第３の動作（着信に関する動作）について図面を用いて説明する。図６は、本発明の実施形態１に係る携帯通信端末の第３の動作を模式的に示したフローチャートである。
【００４４】
まず、携帯通信端末１の制御部２３は、他の携帯通信端末から無線通信システム（無線基地局）を介して送信された着信信号を検出する（ステップＢ１）。
【００４５】
次に、制御部２３は、接続端子２０が出状態にあるか否かを確認する（ステップＢ２）。なお、接続端子検出部２１が接続状態及び非接続状態を検出するタイプであれば、接続端子２０が接続状態にあるか否かを確認することになる。
【００４６】
接続端子２０が出状態（又は接続状態）にある場合（ステップＢ２のＹＥＳ）、制御部２３は、予め記憶部２２に格納された着信設定登録情報を参照し、着信に応答するのか否かを確認する（ステップＢ３）。
【００４７】
着信に応答する場合（ステップＢ３のＹＥＳ）、制御部２３は、振動部１９による振動報知を禁止として、スピーカ１５からの楽音の出力、表示部１３（１３ａ、１３ｂ）からの情報、発光の出力などにより報知を行う（ステップＢ４）。
【００４８】
次に、制御部２３は、端末本体に対して入出自在な構造を有する接続端子２０の出状態から入（収納）状態（又は接続状態から非接続状態）への変移を監視する（ステップＢ５）。
【００４９】
入（収納）状態（又は非接続状態）への変移を検出した場合（ステップＢ５のＹＥＳ）、制御部２３は、着信中の通話をオフフック処理、或いは応答保留処理する（ステップＢ６）。
【００５０】
着信に応答しない場合（ステップＢ３のＮＯ）、制御部２３は、着信拒否、或いは所定メッセージ送出および通信相手のメッセージ登録の処理を行う（ステップＢ７）。
【００５１】
接続端子２０が入（収納）状態（又は非接続状態）にある場合（ステップＢ２のＮＯ）、制御部２３は、外部機器との接続、或いは接続準備状態にないと判断して通常の報知（スピーカ１５からの楽音の出力、表示部１３（１３ａ、１３ｂ）からの情報、発光の出力、振動部１９による振動、の任意選択／組合せ）を行う（ステップＢ８）。
【００５２】
第３の動作によれば、着信時に、接続端子２０の状態に応じて、予め設定された処理（着信拒否、伝言メモ、着信応答）がなされ、更に着信に応答する場合は、接続端子２０の出状態から入（収納）状態への変移により、オフフック又は応答保留となるので、使用者の操作性を向上させることができる。
【００５３】
本発明の実施形態１に係る携帯通信端末の接続端子及び操作子の変形例について図面を用いて説明する。図７〜１０は、本発明の実施形態１に係る携帯通信端末の接続端子及び操作子の第１〜４の変形例を模式的に示した斜視図である。
【００５４】
図７を参照すると、接続端子２０は、下部筐体３の主表面に設けられた操作子２４をスライド操作することで、下部筐体３の端面より入出する構造となっている。
【００５５】
図８を参照すると、接続端子２０は、下部筐体３の連結部４近傍の側端面に設けられた操作子２４をスライド操作することで、下部筐体３の側端面より入出する構造となっている。なお、図８に示す例によれば、操作子２４による接続端子２０の入出操作は、折畳型携帯通信端末の上部筐体２と下部筐体３が閉状態（上部筐体２と下部筐体３とが重なりあった状態）でのみ入出操作可能となっており、開状態で入出操作が禁止される構成となっている。また、折り畳んだ時の下部筐体３と上部筐体２の会合面側に操作子２４を配設すれば、開状態でのみ入出操作可能とし、閉状態で入出操作が禁止される構成にすることもできる。
【００５６】
図９を参照すると、接続端子２０は、下部筐体３の主表面に設けられた操作子２４をスライド操作することで、下部筐体３の連結部４近傍の側端面より入出する構造となっている。なお、図９に示す構造によれば、接続端子２０の入出は、折畳型携帯通信端末の上部筐体２と下部筐体３が閉状態（上部筐体２と下部筐体３とが重なりあった状態）で入出可能となっており、開状態で入出が禁止される構成となっている。
【００５７】
図１０を参照すると、接続端子２０は、下部筐体３の主表面に設けられた操作子２４を回動操作することで、下部筐体３の端面より入出可能な構造となっている。接続端子２０は、下部筐体３又は実装基板（図示せず）に設けられた軸受け（例えば、ベアリング等；図示せず）によって回動がガイドされる。なお、操作子２４による回動操作に代えて、下部筐体３端面側に収納された接続端子２０を指などで引き出すような空間を設けて、接続端子２０を直接入出するようにしてもよい。また、折り畳んだ時の下部筐体３と上部筐体２の会合面側に接続端子２０を配設すれば、開状態でのみ入出可能とし、閉状態で入出が禁止される構成にすることもできる。
【００５８】
また、上述の例では接続端子２０は下部筐体３側に配設されていたが、接続端子２０を上部筐体２側に配設するようにしてもよい。
【図面の簡単な説明】
【００５９】
【図１】本発明の実施形態１の携帯通信端末の外観を模式的に示した（Ａ）正面図、及び（Ｂ）背面図である。
【図２】本発明の実施形態１の携帯通信端末の外観を模式的に示した斜視図である。
【図３】本発明の実施形態１の携帯通信端末において用いられる接続端子の構成を模式的に示した平面図である。
【図４】本発明の実施形態１の携帯通信端末の構成を模式的に示したブロック図である。
【図５】本発明の実施形態１に係る携帯通信端末の第２の動作を模式的に示したフローチャートである。
【図６】本発明の実施形態１に係る携帯通信端末の第３の動作を模式的に示したフローチャートである。
【図７】本発明の実施形態１に係る携帯通信端末の接続端子の第１の変形例を示した斜視図である。
【図８】本発明の実施形態１に係る携帯通信端末の接続端子の第２の変形例を示した斜視図である。
【図９】本発明の実施形態１に係る携帯通信端末の接続端子の第３の変形例を示した斜視図である。
【図１０】本発明の実施形態１に係る携帯通信端末の接続端子の第４の変形例を示した斜視図である。
【符号の説明】
【００６０】
１  携帯通信端末
２  上部筐体
３  下部筐体
４  連結部（ヒンジ）
１１  無線部
１２（１２ａ、１２ｂ）  撮像部
１３（１３ａ、１３ｂ）  表示部
１４  操作部
１４ａ  決定ボタン部
１４ｂ  テンキーボタン部
１４ｃ  サイドボタン
１５  スピーカ
１６  音声処理部
１７  マイク
１８  スピーカ
１９  振動部
２０  接続端子
２０ａ  ＵＳＢ端子
２０ｂ  プリント基板
２０ｃ  フレキシブル配線板
２０ｄ  コネクタ
２１  接続端子検出部（入出検出部、接続検出部）
２２  記憶部
２３  制御部
２４  操作子
【図１】
2006166085.tif 000003
【図２】
2006166085.tif 000004
【図３】
2006166085.tif 000005
【図４】
2006166085.tif 000006
【図５】
2006166085.tif 000007
【図６】
2006166085.tif 000008
【図７】
2006166085.tif 000009
【図８】
2006166085.tif 000010
【図９】
2006166085.tif 000011
【図１０】
2006166085.tif 000012